(57)【要約】【課題】表示ユニットを筐体に取り付ける場合において、表示ユニットと筐体間のスペースを極力小さくし、特に、筐体の枠の部分に対する表示ユニットの表示部分の領域をできる限り大きくとる。【解決手段】表示ユニット（４）を筐体（６）に固定する固定手段は、表示ユニットを厚さ方向に保持する手段と、表示ユニットを平面方向のＸ、Ｙ方向に保持する手段とを具備し、表示ユニットの両側壁に隣接する筐体の対向する壁部（１２）によりＸ方向保持手段が構成され、表示ユニットの側壁に固定した板（１１）の一部を壁部の側へ折り曲げ又は突出させて爪部（１１ａ）を形成し、壁部の爪部に対応する位置に、該爪部が嵌合する切欠き（１２ａ）を形成し、爪部を溝に嵌合させることによりＹ方向保持手段が構成されることを特徴とする。【選択図】　　　図３
2004062075.tif 000002
【特許請求の範囲】
【請求項１】
筐体と、板状の表示ユニットと、該表示ユニットを前記筐体に固定する固定手段とからなり、該固定手段は、前記表示ユニットを厚さの方向に保持するＺ方向保持手段と、前記表示ユニットを平面方向のＸ方向及びこれに直交するＹ方向に保持するＸ方向保持手段及びＹ方向保持手段とを具備し、表示ユニットの両側壁に隣接する筐体の対向する壁部によりＸ方向保持手段及びＹ方向保持手段の少なくとも一方が構成され、表示ユニットの側壁から前記壁部の側へ突出させて突出部を形成し、前記壁部の該突出部に対応する位置に、該突出部が嵌合する切欠きを形成し、前記突出部が該切欠きに嵌合することにより前記Ｘ方向保持手段及びＹ方向保持手段の他方が構成されることを特徴とする表示装置。
【請求項２】
前記突出部は、前記表示ユニットの側壁に固定した板の一部を前記壁部の側へ突出させた爪部であり、該爪部が前記切欠きに嵌合することを特徴とする請求項１に記載の表示装置。
【請求項３】
前記突出部は、前記表示ユニットの側壁にねじ込んだねじの頭部であり、前記切欠きは前記壁部に設けたＵ字形溝であり、前記ねじの頭部が該Ｕ字形溝に遊嵌することを特徴とする請求項１に記載の表示装置。
【請求項４】
筐体と、板状の表示ユニットと、該表示ユニットを前記筐体に固定する固定手段とからなり、該固定手段は、前記表示ユニットを厚さの方向に保持するＺ方向保持手段と、前記表示ユニットを平面方向のＸ方向及びこれに直交するＹ方向に保持するＸ方向保持手段及びＹ方向保持手段とを具備し、表示ユニットの両側壁に隣接する筐体の対向する壁部によりＸ方向保持手段及びＹ方向保持手段の少なくとも一方が構成され、表示ユニットの側壁から前記壁部の側へ突出させて突出部を形成し、前記壁部の該突出部に対応する位置に、該突出部が嵌合する貫通穴を形成し、前記突出部が該貫通穴に嵌合することにより前記Ｚ方向保持手段と、前記Ｘ方向保持手段及びＹ方向保持手段の他方とが構成されることを特徴とする表示装置。
【請求項５】
前記突出部は、前記表示ユニットの側壁に固定した板の一部を前記壁部の側へ突出させた爪部であり、該爪部が該貫通穴に嵌合することを特徴とする請求項４に記載の表示装置。
【請求項６】
前記突出部は、前記表示ユニットにねじ込んだねじの頭部からなり、該ねじの頭部が前記壁部に設けた貫通孔に遊嵌することを特徴とする請求項５に記載の表示装置。
【請求項７】
前記筐体は、前記表示ユニットの周囲を囲む枠状のフロントカバーを具備し、該フロントカバーの立ち上がり壁により前記壁部が構成されることを特徴とする請求項１〜６のいずれか１項に記載の表示装置。
【請求項８】
請求項１〜７のいずれか１項に記載の表示装置と、本体と、を具備し、前記表示装置は、前記本体に対して開閉可能に構成されているコンピュータ装置。
【発明の詳細な説明】
【０００１】
【発明の属する技術分野】
本発明は表示ユニットを有する情報処理装置、特に情報処理装置における表示ユニットの筐体への取付構造に関する表示装置に係わる。
【０００２】
情報処理装置はその小型化・軽量化が要求されているが、特に表示装置あるいは入力装置をも兼ねた液晶表示ユニットは、筐体に取付けられた構造において小型化を達成することが要求されている。
【０００３】
【従来の技術】
従来、携帯型あるいはノートブックタイプのワードプロセッサやパーソナルコンピュータ等の情報処理装置（以下、コンピュータという）は、キーボード等の入力装置を具備する本体と、この本体に対して開閉可能に構成された表示部とからなるが、表示部としては液晶表示ユニットが使用される。この液晶表示ユニットは蓋を構成する筐体に固定される。
【０００４】
液晶表示ユニットの筐体への固定は、従来、矩形状の液晶表示ユニットの４つの隅部においてねじ等の固定手段を用いてフロントカバーに固定される構造が一般であった。このような構造であると、蓋を構成している筐体の内側の部分と、矩形状の液晶表示ユニットの側面との間に、ねじ等を配置するためのスペースが必要となり、装置の小型化を達成することが困難であった。特に、蓋の枠の部分に対する液晶表示ユニットの表示部分の領域を大きくするには限界があった。
【０００５】
また、特に携帯型のノートタイプ・コンピュータにおいては、本体に対して表示部を閉じた状態で、極力薄くすることが要求されている。したがって、本体はもとより表示部も極力薄くする必要がある。このことから、液晶表示ユニットと筐体との間に、厚さ方向のスペースを極力小さくしなければならない。しかしながら、液晶表示ユニットを蓋の筐体部分（表示部カバー）に固定しなければならないため、装置が幅方向に大きくなるという問題がある。このことから、液晶表示ユニットの裏側の筐体との間や液晶表示ユニットの上縁面や側縁面と筐体の壁部との間のスペース部分にボルト等の固定部材を配置することは、表示部の厚さを薄くするという点では、好ましくない。
【０００６】
従来技術とて、特開平１０−２８２８９９号公報に、液晶表示装置を周辺機器に固定させる時に使用するねじ等の固定部材を固定するためのマウンティングホールに関する記載があり、マウンティングホールを液晶表示装置の正面ではなくて、側面に設置することによって、ねじの形成部を液晶表示装置の正面に形成することなく、ねじを使用して液晶表示装置を周辺機器に固定して、液晶表示装置の面積を大きくとるようにしている。
【０００７】
また、特開平１０−３３３５８５号公報では、液晶表示モジュールが設置された上部サッシが下部サッシに対して旋回可能に固定されるコンピュータの液晶表示モジュール固定装置において、下部サッシの内側面に固定台が固定され、固定台に結合されたヒンジにより固定台の一側端部に旋回可能に固定されるアームを通して上部サッシと液晶表示モジュールとをネジで固定した液晶表示モジュール固定装置が開示されている。
【０００８】
【発明が解決しようとする課題】
情報処理装置はその小型化・軽量化が要求されているが、特に表示装置あるいは入力装置も兼ねた液晶表示ユニットは、筐体に取付ける際に小型化を達成することが要求されている。
【０００９】
そこで本発明の第一の課題は、表示ユニットを筐体に取り付ける場合において、表示ユニットと筐体間のスペースを極力小さくし、特に、筐体の枠の部分に対する液晶表示ユニットの表示部分の領域をできる限り大きくとることの可能な表示装置を提供することにある。
【００１０】
本発明の第二の課題は、表示ユニットを安価に且つ簡単に筐体に取り付けることのできる表示装置を提供することにある。
【００１１】
【課題を解決するための手段】
上記の課題を達成するために、本発明によれば、筐体と、板状の表示ユニットと、該表示ユニットを前記筐体に固定する固定手段とからなり、該固定手段は、前記表示ユニットを厚さの方向に保持するであるＺ方向保持手段と、前記表示ユニットを平面方向のＸ方向及びこれに直交するＹ方向に保持するＸ方向保持手段及びＹ方向保持手段とを具備し、表示ユニットの両側壁に隣接する筐体の対向する壁部によりＸ方向保持手段及びＹ方向保持手段の少なくとも一方が構成され、表示ユニットの側壁から前記壁部の側へ突出させて突出部を形成し、前記壁部の該突出部に対応する位置に、該突出部が嵌合する切欠きを形成し、前記突出部が該切欠きに嵌合することにより前記Ｘ方向保持手段及びＹ方向保持手段の他方が構成されることを特徴とする表示装置が提供される。突出部を切欠きに嵌合させることで、表示ユニットは壁部の長手（例えばＸ）方向に関する移動が阻止され、これにより、表示ユニットの平面方向の固定が可能となる。
【００１２】
本発明の一態様では、前記突出部は、前記表示ユニットの側壁に固定した板の一部を前記壁部の側へ突出させた爪部であり、該爪部が前記切欠きに嵌合することを特徴とする。爪部を溝に嵌合させることで、表示ユニットは壁部の長手方向に関する移動が阻止され、これにより、表示ユニットの平面方向の固定が可能となる。
【００１３】
また、本発明の他の態様では、前記突出部は、前記表示ユニットの側壁にねじ込んだねじの頭部であり、前記切欠きは前記壁部に設けたＵ字形溝であり、前記ねじの頭部が該Ｕ字形溝に遊嵌することを特徴とする。ねじの頭部がＵ字形溝に遊嵌されることにより、表示ユニットは壁部の長手（例えばＸ）方向に関する移動が阻止され、これにより、表示ユニットの平面方向の固定が可能となる。
【００１４】
更に、本発明によれば、筐体と、板状の表示ユニットと、該表示ユニットを前記筐体に固定する固定手段とからなり、該固定手段は、前記表示ユニットを厚さの方向に保持するＺ方向保持手段と、前記表示ユニットを平面方向のＸ方向及びこれに直交するＹ方向に保持するＸ方向保持手段及びＹ方向保持手段とを具備し、表示ユニットの両側壁に隣接する筐体の対向する壁部によりＸ方向保持手段及びＹ方向保持手段の少なくとも一方が構成され、表示ユニットの側壁から前記壁部の側へ突出させて突出部を形成し、前記壁部の該突出部に対応する位置に、該突出部が嵌合する貫通穴を形成し、前記突出部が該貫通穴に嵌合することにより前記Ｚ方向保持手段と、前記Ｘ方向保持手段及びＹ方向保持手段の他方とが構成されることを特徴とする表示装置が提供される。突出部を貫通穴に嵌合させることで、表示ユニットは壁部の長手（例えばＸ）方向に関する移動が阻止され、これにより、及び表示ユニットの厚さ（Ｚ）方向の移動が阻止され、これにより、表示ユニットの厚さ（Ｚ）方向及び平面（Ｘ，Ｙ）方向の固定が可能となる。
【００１５】
一態様によれば、前記突出部は、前記表示ユニットの側壁に固定した板の一部を前記壁部の側へ突出させた爪部であり、該爪部が該貫通穴に嵌合することを特徴とする。爪部を貫通穴に嵌合させることで、表示ユニットは壁部の長手方向の移動、及び表示ユニットの厚さ方向の移動が阻止され、これにより、表示ユニットの厚さ（Ｚ）方向及び平面（Ｘ，Ｙ）方向の固定が可能となる。
【００１６】
他の態様によれば、前記突出部は、前記表示ユニットにねじ込んだねじの頭部からなり、該ねじの頭部が前記壁部に設けた貫通孔に遊嵌することを特徴とする。ねじの頭部が貫通穴に嵌合されることで、表示ユニットは壁部の長手方向の移動、及び表示ユニットの厚さ方向の移動が阻止され、これにより、表示ユニットの厚さ（Ｚ）方向及び平面（Ｘ，Ｙ）方向の固定が可能となる。
【００１７】
前記筐体は、前記表示ユニットの周囲を囲む枠状のフロントカバーを具備し、該フロントカバーの立ち上がり壁により前記壁部が構成されることを特徴とする。
【００１８】
また、本発明によれば、前述のような表示装置と、本体と、を具備し、前記表示装置は、前記本体に対して開閉可能に構成されているコンピュータ装置が提供される。
【００１９】
【発明の実施の形態】
以下、添付図面を参照して本発明の実施の形態について詳細に説明する。
【００２０】
図１は本発明の表示装置、即ち、液晶表示ユニットの取付構造を採用した携帯型コンピュータの外観図である。携帯型コンピュータは詳細には図示しないがキーボードやポインター等を備える本体１と、液晶表示ユニット４を具備する蓋部２からなり、蓋部２はヒンジ３により本体１に対して回転可能で本体１に対して開閉できるようになっている。即ち、蓋部２はこの携帯型コンピュータの使用時には開かれ、非使用時は閉じることが出来る。蓋部２を閉じた時は、本体１の側に設けたロック部材１ａに係合して蓋部２が本体１にロックされ、蓋部２を開く時は、ロック部材１ａを解除することにより蓋部２を本体１に対して開くことができる。
【００２１】
蓋部２を構成している筐体は、バックカバー５とフロントカバー６とからなり、液晶表示ユニット４は、バックカバー５と枠状のフロントカバー６との間に挟まれるように固定されている。
【００２２】
液晶表示ユニット４は全体として矩形の平板状で、表面側の大部分の領域を占める液晶表示面４ａの周囲が矩形枠状のフロントカバー６で囲まれ、裏面側に配置されるバックカバー６は液晶表示ユニット４の裏面の全域を覆っている。
【００２３】
このように、蓋部２は、バックカバー５、液晶表示ユニット４およびフロントカバー６により構成されるが、本明細書では、図１に示されるように、蓋部２が本体１に対して開かれている使用状態で液晶表示面４ａを見て、ヒンジ３側を下部、その反対側を上部、液晶表示ユニット４はバックカバー５の側を裏面、フロントカバー６の側を表面と称することとする。また、液晶表示ユニット４の平面方向に関して、左右方向をＸ方向、上下方向をＹ方向とする。
【００２４】
バックカバー５及びフロントカバー６は例えばマクネシウム合金等の材料を用いてダイキャスト等の成形品として形成される。
【００２５】
図２〜図４は本発明の第１実施形態を示すもので、図２は液晶表示ユニット４をフロントカバー６に固定した状態を液晶表示ユニット４の裏面側４ｂから見た斜視図、図３は図２のＡで示す固定部分の拡大斜視図、図４は固定部分の断面図である。
【００２６】
筐体の一部を構成しているフロントカバー６には、液晶表示ユニット４の両側壁に隣接するように対向する１対の立ち上がり壁部１２が形成されている。従って、液晶表示ユニット４は、１対の壁部１２によりその平面方向の左右方向（Ｘ方向）の移動が阻止される。
【００２７】
液晶表示ユニット４の左右両側壁４ｃには、機能部品である（例えば液晶表示ユニット４をグランドに接続する機能を有する）フレキシブル板７を挟んで少なくとも左右２箇所、最適にはヒンジ側と先端側、左右で合計４箇所の位置で適当な金属からなる断面がＬ字形の金具１１がねじ１３により固定されている。このＬ字形金具１１は液晶表示ユニット４の側面４ｂの厚さよりわずかに小さい程度の幅を有し、液晶表示ユニット４の裏面４ｂ側にてフロントカバー６の壁部１２の側へＬ字形に折れ曲がっていて、その突出部分で爪部１１ａが形成されている。
【００２８】
一方、Ｌ字形金具１１の爪部１１ａに対応する壁部１２の位置に、爪部１１ａが嵌合する溝ないし切欠き１２ａが形成されている。この爪部１１ａが壁部１２の溝ないし切欠き１２ａに嵌合することにより液晶表示ユニット４の上下方向（Ｙ方向）の移動が阻止される。
【００２９】
図５〜図７は本発明の第２実施形態を示すもので、図５は液晶表示ユニット４をフロントカバー６に固定した状態を液晶表示ユニット４の裏面側４ｂから見た斜視図、図６は図５のＢで示す固定部分の拡大斜視図、図７は固定部分の断面図である。
【００３０】
第１実施形態の場合と同様、筐体の一部を構成しているフロントカバー６には、液晶表示ユニット４の両側壁に隣接するように対向する１対の壁部１２が形成されている。従って、液晶表示ユニット４は、１対の壁部１２によりその平面方向の左右方向（Ｘ方向）の移動が阻止される。また、爪部１１ａの上面（図４の上面）がバックカバー５（図１）の裏面に接触して、Ｚ方向の移動を規制する。
【００３１】
液晶表示ユニット４の左右両側壁４ｃには、板状の金具２１がねじ１３により固定されている。この板状の金具２１は液晶表示ユニット４の両側壁の長さより若干短い長さを有し、且つ液晶表示ユニット４の厚さより小さい幅を有する。
【００３２】
この金具２１の一部、即ち液晶表示ユニット４の表面４ａ側（図５〜７では裏側）に近い位置において、一部がフロントカバー６の壁部１２の側へ突出させて爪部２１ａを形成している。
【００３３】
そして、爪部２１ａに対応する壁部１２の位置に、爪部２１ａが嵌合する貫通穴１２ｃを形成している。爪部２１ａが貫通穴１２ｃに嵌合することにより、液晶表示ユニット４の厚さ方向（Ｚ方向）、及び上下方向（Ｙ方向）の移動が阻止される。
【００３４】
図６に示すように、金具２１は壁部１２にカバーされていない両端部付近においてねじ１３により液晶表示ユニット４の側面４ｃに固定されている。
【００３５】
図８〜図１０は本発明の第３実施形態を示すもので、図８は液晶表示ユニット４をフロントカバー６に固定した状態を液晶表示ユニット４の裏面側４ｂから見た斜視図、図９は図８のＣで示す固定部分の拡大斜視図、図１０は固定部分の断面図である。
【００３６】
第１及び第２実施形態の場合と同様、筐体の一部を構成しているフロントカバー６には、液晶表示ユニット４の両側壁に隣接するように対向する１対の壁部１２が形成されている。従って、液晶表示ユニット４は、１対の壁部１２によりその平面方向の左右方向（Ｘ方向）の移動が阻止される。
【００３７】
液晶表示ユニット４の左右両側壁４ｃには、機能部品であるフレキシブル板７を挟んで上下２箇所、左右で合計４箇所の位置でねじ１３が締めつけられている。このねじ１３は通常のねじと同様、ねじ軸部分は液晶表示ユニットの側面にねじ込まれており、頭部のみ液晶表示ユニット４の側面より突き出ている。
【００３８】
一方、ねじ１３の頭部に対応するフロントカバー６の壁部１２の位置に、Ｕ字形溝１２ｄが形成されている。そして、ねじ１３の頭部がこのＵ字形溝１２ｄに遊嵌されている。即ち、壁部１２はねじ１３によりフレキシブル板７と共締めされるのではなく、単にねじ１３の頭部がＵ字形溝１２ｄに嵌まり込んでいる状態となっているだけである。従って、液晶表示ユニット４は、１対の壁部１２によりその平面方向の上下方向（Ｙ方向）の移動が阻止される。また、フレキシブル板７がバックカバー５（図１）と触れてＺ方向が規制される。
【００３９】
Ｕ字形溝１２ｄに遊嵌しているねじ１３の頭部は、その軸方向の厚さがＵ字形溝１２ｄを設けたフロントカバー６の壁部１２の厚さと等しいか又は小さくなっている。これにより、ねじ１３の頭部が壁部１２の反対側の面から外側へ突出しないようにされる。ねじ１３の頭部の直径はねじの軸の直径と等しくても、小さくてもかまわないが、大きい方が製造上有利である。ねじ１３を液晶表示ユニット４にねじ込んでいく際に頭部がストッパとなり、溝１２ｄに嵌め込む作業が楽なものとなるからである。
【００４０】
図１１〜図１４は本発明の第４実施形態を示すもので、図１１は液晶表示ユニット４をフロントカバー６に固定した状態を液晶表示ユニット４の裏面側４ｂから見た斜視図、図１２は図１１のＤで示す固定部分の拡大斜視図、図１３は固定部分の断面図、１４図は液晶表示ユニット４、フレキシブル板７及びフロントカバー６の組み立て前の状態で示す分解図である。
【００４１】
第１〜３実施形態の場合と同様、筐体の一部を構成しているフロントカバー６には、液晶表示ユニット４の両側壁に隣接するように対向する１対の壁部１２が形成されている。従って、液晶表示ユニット４は、１対の壁部１２によりその平面方向の左右方向（Ｘ方向）の移動が阻止される。
【００４２】
液晶表示ユニット４の左右両側壁４ｃには、機能部品であるフレキシブル板７を挟んで上下２箇所、左右で合計４箇所の位置でねじ１３が締めつけられている。このねじ１３は通常のねじと同様、ねじ軸部分は液晶表示ユニットの側面にねじ込まれており、頭部のみ液晶表示ユニット４の側面より突き出ている。
【００４３】
一方、ねじ１３の頭部に対応するフロントカバー６の壁部１２の位置に、貫通穴１２ｅが形成されている。そして、ねじ１３の頭部がこの貫通穴１２ｅに遊嵌されている。即ち、図１の分解図でも示しているように、フロントカバー６の壁部１２はねじ１３によりフレキシブル板７と一緒に液晶表示ユニット４に共締めされるのではなく、単にねじ１３の頭部が貫通穴１２ｅに嵌まり込んでいる状態となっているだけである。Ｘ方向及びＹ方向はねじ１３の頭部の直径を等しくすることが望ましいが、一方に長くすることも可能である。
【００４４】
したがって、図１４に示すように、ねじ１３はフロントカバー６の壁部１２の外側からとおすことにより液晶表示ユニット４に締結されるのであるが、フロントカバー６に対しては固着状態になるわけではない。
【００４５】
このように、ねじ１３の頭部が壁部１２の貫通穴１２ｅに遊嵌されることにより、ねじ１３の頭部が貫通穴１２ｅの中に拘束され、外に出ることはできないので、フロントカバー６に対する液晶表示ユニット４の厚さ方向（Ｚ方向）、及び上下方向（Ｙ方向）の移動が阻止される。ねじ１３の頭部のＹ方向が長い場合は、Ｚ方向の規制はフレキシブル板７で行う。
【００４６】
貫通穴１２ｅに遊嵌しているねじ１３の頭部は、その軸方向の厚さがＵ字形溝１２ｄを設けたフロントカバー６の壁部１２の厚さと等しいか又は小さくなっている。これにより、ねじ１３の頭部が壁部１２の反対側の面から外側へ突出しないようにされる点は、前述の第３実施形態の場合と同様である。
【００４７】
図１５〜図１６は、比較のために示す比較態様で、上述の第４実施形態のように、ねじ１３をフロントカバー６の壁部１２に対して遊嵌させるのではなく、共締めした例であって、図１５は液晶表示ユニット４をフロントカバー６に固定した状態を液晶表示ユニット４の裏面側４ｂから見た斜視図、図１６は図１１のＥで示す固定部分の拡大斜視図、図１３は固定部分の断面図、１４図は液晶表示ユニット４、フレキシブル板７及びフロントカバー６の組み立て前の状態で示す分解図である。
【００４８】
筐体の一部を構成しているフロントカバー６には、液晶表示ユニット４の両側壁に隣接するように対向する１対の壁部１２が形成され、液晶表示ユニット４はこれらの壁部１２によりその平面方向の左右方向（Ｘ方向）の移動が阻止される点は上述の実施形態の場合と同様である。
【００４９】
液晶表示ユニット４の左右両側壁４ｃには、機能部品であるフレキシブル板７を挟んで上下２箇所、左右で合計４箇所の位置でねじ１３により、フロントカバー６の壁部１２のねじ通し穴１２ｆに共締めされている。したがって、液晶表示ユニット４は、フロントカバー６に固定され、厚さ方向、及び上下、左右方向（Ｙ及びＹ方向）の移動が阻止される。
【００５０】
しかしながら、ねじ１３の頭部がフロントカバー６の壁部１２から外方へ付き出ることとなり、その分だけ、筐体と液晶表示ユニット４との間にスペースが必要となり、筐体の枠部分に対して液晶表示ユニットの表示部分をできる限り大きくしようとする課題は十分に達成することができない。
【００５１】
なお、上記の各実施形態及び比較形態において、液晶表示ユニット４をフロントカバー６に上述したように方法にて固定した後、フロントカバー６とともに筐体の一部を構成しているバックカバー５に固定される。ここで、バックカバー５とフロントカバー６との間の結合は、一方に設けられた爪やフック部分から他方に設けられた係合穴，溝、切欠き等に係合することにより行われる。
【００５２】
以上添付図面を参照して本発明の実施形態について比較形態とともに説明したが、本発明は上記の実施形態のみに限定されるものではなく、本発明の精神ないし範囲内において種々の形態、変形、修正等が可能である。
（付記１）　筐体と、板状の表示ユニットと、該表示ユニットを前記筐体に固定する固定手段とからなり、該固定手段は、前記表示ユニットを厚さの方向に保持するであるＺ方向保持手段と、前記表示ユニットを平面方向のＸ方向及びこれに直交するＹ方向に保持するＸ方向保持手段及びＹ方向保持手段とを具備し、表示ユニットの両側壁に隣接する筐体の対向する壁部によりＸ方向保持手段及びＹ方向保持手段の少なくとも一方が構成され、表示ユニットの側壁から前記壁部の側へ突出させて突出部を形成し、前記壁部の該突出部に対応する位置に、該突出部が嵌合する切欠きを形成し、前記突出部が該切欠きに嵌合することにより前記Ｘ方向保持手段及びＹ方向保持手段の他方が構成されることを特徴とする表示装置。（１）
（付記２）　前記突出部は、前記表示ユニットの側壁に固定した板の一部を前記壁部の側へ突出させた爪部であり、該爪部が前記切欠きに嵌合することを特徴とする付記１に記載の表示装置。（２）
（付記３）　前記板は断面がＬ字形の金具からなり、Ｌ字形に折れ曲がった部分で前記爪部を形成していることを特徴とする付記１に記載の表示装置。
（付記４）　前記突出部は、前記表示ユニットの側壁にねじ込んだねじの頭部であり、前記切欠きは前記壁部に設けたＵ字形溝であり、前記ねじの頭部が該Ｕ字形溝に遊嵌することを特徴とする請求項１に記載の表示装置。（３）
（付記５）　前記Ｕ字形溝に嵌合しているねじの頭部は、その軸方向の厚さが前記Ｕ字形溝を設けた前記壁部の部分の厚さと等しいか又は小さく、ねじの頭部が壁部の反対側の面から突出しないようになっていることを特徴とする付記４に記載の表示装置。
（付記６）　筐体と、板状の表示ユニットと、該表示ユニットを前記筐体に固定する固定手段とからなり、該固定手段は、前記表示ユニットを厚さの方向に保持するＺ方向保持手段と、前記表示ユニットを平面方向のＸ方向及びこれに直交するＹ方向に保持するＸ方向保持手段及びＹ方向保持手段とを具備し、表示ユニットの両側壁に隣接する筐体の対向する壁部によりＸ方向保持手段及びＹ方向保持手段の少なくとも一方が構成され、表示ユニットの側壁から前記壁部の側へ突出させて突出部を形成し、前記壁部の該突出部に対応する位置に、該突出部が嵌合する貫通穴を形成し、前記突出部が該貫通穴に嵌合することにより前記Ｚ方向保持手段と、前記Ｘ方向保持手段及びＹ方向保持手段の他方とが構成されることを特徴とする表示装置。（４）
（付記７）　前記突出部は、前記表示ユニットの側壁に固定した板の一部を前記壁部の側へ突出させた爪部であり、該爪部が該貫通穴に嵌合することを特徴とする付記６に記載の表示装置。（５）
（付記８）　前記突出部は、前記表示ユニットにねじ込んだねじの頭部からなり、該ねじの頭部が前記壁部に設けた貫通孔に遊嵌することを特徴とする付記６に記載の表示装置。（６）
（付記９）　貫通孔に遊嵌しているねじの頭部は、その軸方向の厚さが前記貫通孔を設けた前記壁部の部分の厚さと等しいか又は小さく、ねじの頭部が壁部の反対側の面から突出しないようになっていることを特徴とする付記８に記載の表示装置。
（付記１０）　前記板は前記壁部にねじ止めにより固定されることを特徴とする付記２、３、７のいずれか１項に記載の表示装置。
（付記１１）　前記板は前記壁部と重なっていない箇所にてねじ止めにより該壁部に固定されることを特徴とする付記１０に記載の表示装置。
（付記１２）　前記筐体は、前記表示ユニットの周囲を囲む枠状のフロントカバーを具備し、該フロントカバーの立ち上がり壁により前記壁部が構成されることを特徴とする付記１〜１１のいずれか１項に記載の表示装置。（７）
（付記１３）　付記１〜１２のいずれか１項に記載の表示装置と、本体と、を具備し、前記表示装置は、前記本体に対して開閉可能に構成されているコンピュータ装置。（８）
【００５３】
【発明の効果】
以上説明したように、本発明によれば、液晶表示ユニットをフロントカバー等の筐体に取り付ける場合において、液晶表示ユニットと筐体間のスペースを極て小さくすることガでき、したがって、筐体の枠の部分に対する液晶表示ユニットの表示部分の領域を大きくとれ、コンパクトにして十分な機能を生じうる表示装置を提供することができる。
【００５４】
また、本発明によれば、単にねじ或いはＬ型金具を使用するだけの簡単な行動であるので、液晶表示ユニットを安価に且つ簡単に筐体に取り付けることが可能となる。
【図面の簡単な説明】
【図１】本発明の表示装置を有する形態型コンピュータの外観図である。
【図２】本発明の第１実施形態の斜視図である。
【図３】図２のＡ部の詳細図である。
【図４】第１実施形態の固定部分の断面図である。
【図５】本発明の第２実施形態の斜視図である。
【図６】図５のＢ部の詳細図である。
【図７】第２実施形態の固定部分の断面図である。
【図８】本発明の第３実施形態の斜視図である。
【図９】図８のＣ部の詳細図である。
【図１０】第３実施形態の固定部分の断面図である。
【図１１】本発明の第４実施形態の斜視図である。
【図１２】図１１のＤ部の詳細図である。
【図１３】第４実施形態の固定部分の断面図である。
【図１４】第４実施形態における分解図である。
【図１５】本発明の実施形態との比較のために示す比較態様の斜視図である。
【図１６】図１５のＥ部の詳細図である。
【図１７】比較態様の固定部分の断面図である。
【符号の説明】
１…コンピュータ本体
２…蓋部
３…ヒンジ部
４…液晶表示ユニット
５…バックカバー
６…フロントカバー
７…フレキシブル板
１１…Ｌ字型金具
１２…壁部
１３…ねじ
２１…金具
【図１】
2004062075.tif 000003
【図２】
2004062075.tif 000004
【図３】
2004062075.tif 000005
【図４】
2004062075.tif 000006
【図５】
2004062075.tif 000007
【図６】
2004062075.tif 000008
【図７】
2004062075.tif 000009
【図８】
2004062075.tif 000010
【図９】
2004062075.tif 000011
【図１０】
2004062075.tif 000012
【図１１】
2004062075.tif 000013
【図１２】
2004062075.tif 000014
【図１３】
2004062075.tif 000015
【図１４】
2004062075.tif 000016
【図１５】
2004062075.tif 000017
【図１６】
2004062075.tif 000018
【図１７】
2004062075.tif 000019